(57)【要約】【課題】従来の色分解プリズムと固体撮像素子の固着方式では、紫外線硬化型接着剤の塗布量の不均一、紫外線の照射に偏りがあると紫外線硬化型接着剤の硬化収縮にも偏りが生じ、最初に位置合わせをした位置からずれた位置に固体撮像素子が固定されてしまう問題点を有していた。【解決手段】テレビカメラ等に使用される複数方向に分光する複数個のプリズムと、それらの出射面近傍に配設された複数の固体撮像素子パッケージと、該固体撮像素子パッケージの受光面側表面に当接する先端部がくさび状で前記プリズム側面に貼着された各２枚の板状ホルダと、前記固体撮像素子パッケージ表面と前記板状ホルダ先端部のくさび状の表面とで形成された間隙に充填された接着・硬化剤とからなる。【選択図】  図１
2005012477.tif 000002
【特許請求の範囲】
【請求項１】
テレビカメラ等に使用される複数方向に分光する複数個のプリズムと、それらの出射面近傍に配設された複数の固体撮像素子パッケージと、該固体撮像素子パッケージの受光面側表面に当接する先端部がくさび状で前記プリズム両側面に貼着された各２枚の板状ホルダと、前記固体撮像素子パッケージ表面と前記板状ホルダ先端部のくさび状の表面とで形成された間隙に充填・硬化された接着剤とからなることを特徴とする固体撮像素子を使用した撮像装置。
【請求項２】
前記板状ホルダが、同形状の該板状ホルダを複数枚重ねてそれぞれのくさび状先端部を前記固体撮像素子パッケージの受光面側表面に当接するようにプリズム両側面に貼着され、前記固体撮像素子パッケージ表面と前記各板状ホルダ先端部のくさび状の表面とで形成された各間隙に接着剤が充填・硬化されてなることを特徴とする請求項１に記載の固体撮像素子を使用した撮像装置。
【請求項３】
前記固体撮像素子パッケージ表面と前記板状ホルダ先端部のくさび状の表面とで形成された間隙に、棒材を挿設してなることを特徴とする請求項１又は２に記載の固体撮像素子を使用した撮像装置。
【請求項４】
前記棒材が、プリズムの熱膨張係数と近似するもので、透明なガラス材、セラミック材又は金属材から選択される１又は２以上のものであることを特徴とする請求項１〜３のいずれか１項に記載の固体撮像素子を使用した撮像装置。
【請求項５】
テレビカメラ等に使用される複数方向に分光する複数個のプリズムと、それらの出射面近傍に配設された複数の固体撮像素子パッケージと、該固体撮像素子パッケージの受光面側表面に当接する先端部の断面が半円形状で前記プリズム両側面に貼着された各２枚の板状ホルダと、前記固体撮像素子パッケージ表面と前記板状ホルダ先端部の半円形状の表面とで形成された間隙に充填・硬化された接着剤とからなることを特徴とする固体撮像素子を使用した撮像装置。
【請求項６】
前記板状ホルダが、プリズムの熱膨張係数と近似するもので、透明なガラス材、セラミック材又は金属材から選択される１又は２以上のものであることを特徴とする請求項１〜５のいずれか１項に記載の固体撮像素子を使用した撮像装置。
【請求項７】
前記接着剤が、光硬化型接着剤で、光線を照射して前記光硬化型接着剤を硬化させ、前記板状ホルダとプリズム及び前記板状ホルダと固体撮像素子パッケージとを連結固定してなることを特徴とする請求項１〜６のいずれか１項に記載の固体撮像素子を使用した撮像装置。
【請求項８】
前記接着剤が、熱硬化型接着剤で、熱源により前記熱線硬化型接着剤を硬化させ、前記板状ホルダとプリズム及び前記板状ホルダと固体撮像素子パッケージとを連結固定してなることを特徴とする請求項１〜６のいずれか１項に記載の固体撮像素子を使用した撮像装置。
【請求項９】
前記接着剤が、透光性球状フィラーを混有するものであることを特徴とする請求項１〜８のいずれか１項に記載の固体撮像素子を使用した撮像装置。
【発明の詳細な説明】
【０００１】
【発明の属する技術分野】本発明は、テレビカメラ等に使用される複数方向に分光するプリズムと、その出射面近傍に配設された固体撮像素子を貼着固定した撮像装置に関する。
【０００２】
【従来の技術】現在、テレビジョンカメラ等の放送用カメラ、業務用カメラ、計測用カメラに複数方向に分光する色分解光学系にプリズムを使用して、例えば、青、赤、緑の３原色に分解し、それぞれの出射面に配設された固体撮像素子に撮像した光学像を結像させている。固体撮像素子上に結像された光学像は光電変換され、映像回路で増幅・処理されて所定の映像信号を得ている。
【０００３】
このような色分解光学系では、図２の固体撮像素子の調整方向を示す斜視図に示すように、光軸に対して３個の固体撮像素子のそれぞれをＸ，Ｙ，Ｚ，θｘ，θｙ，θｚの６軸について精度良く位置決めし、色分解プリズムに貼着固定する必要がある。
【０００４】
従来の固体撮像素子を貼着固定した撮像装置としては、従来例１として、実開昭６２−４７２８９号公報「色分解光学系の取付板」に記載されたものが知られている。
【０００５】
従来例１について、図に基づいて説明する。図１０（ａ）は従来例１の色分解プリズムにスペーサを介して取付板に固体撮像素子を取り付けた平面図、図１０（ｂ）は従来例１の色分解プリズムにスペーサを介して取付板に固体撮像素子を取り付けた側面図、図１１は従来例１の取付部の拡大図、図１２は従来例１のスペーサの変形例を示す取付部の拡大図、である。
【０００６】
図１０に示すように、色分解光学系１０５の色分解プリズム１０１を挟むように取付板１０２が取り付けられ、３個の固体撮像素子１０３は前記６軸の位置決め調整後、それぞれ２個のスペーサ１０４を介して取付板１０２に接着固定される。
【０００７】
図１１において、色分解プリズム１０１に取り付けられた取付板１０２の出射側の端面は出射光軸に対して傾斜した傾斜面１０２Ａを形成している。一方スペーサ１０４は右側面には垂直面１０４Ａが、左側面には出射光軸に対して傾斜した傾斜面１０４Ｂがそれぞれ形成されている。図１１から分かるように傾斜面１０２Ａと傾斜面１０４Ｂの傾斜角度は略等しくして形成されている。また傾斜面１０２Ａと傾斜面１０４Ｂ、垂直面１０４Ａと固体撮像素子１０３の受光面側表面とは接着剤の塗布に必要な隙間を保っている。
【０００８】
このような構造において、色分解光学系１０５を図示しない６軸調整治具に装填し、固体撮像素子１０３を、図２の固体撮像素子パッケージの調整方向を示す斜視図、に示すようにＸ，Ｙ，Ｚの３軸方向及びθｘ，θｙ，θｚの３軸回転方向に調整後、スペーサ１０４の垂直面１０４Ａ、傾斜面１０４Ｂに接着剤を塗布し、取付板１０２の傾斜面１０２Ａと固体撮像素子１０３との隙間に挿入する。
【０００９】
このように構成することにより、取付板１０２の端面と固体撮像素子１０３の受光面側表面との隙間にばらつきがあってもスペーサ１０４の少なくとも一側面が傾斜面として構成されているので、スペーサ１０４の傾斜面１０４Ｂと取付板１０２の傾斜面１０２Ａとは面接触となり、一対のスペーサ１０４で両者に接着することができる。
【００１０】
また、図１２に示すように、６軸調整治具による調整結果、傾斜面１０４Ｂ、傾斜面１０２Ａの傾斜角度が異なっても、傾斜面１０４Ｂと傾斜面１０２Ａとを線接触させて接着できる。
【００１１】
その他に従来例２として、特開平５−３７９４３号公報「固体撮像装置」に記載されたものが知られている。
【００１２】
従来例２について、図に基づいて説明する。図１３は従来例２の固体撮像装置の構成図、図１４は従来例２の取付部の拡大断面図、図１５は従来例２の固体撮像素子の変形例を示す取付部の拡大断面図、である。
【００１３】
図１３において、色分解プリズム２０１のそれぞれの出射面に固体撮像素子２０３を狭持するように一対の連結固定部材２０４を介して色分解プリズム２０１と連結固定部材２０４との間、及び連結固定部材２０４と固体撮像素子２０３との間を接着剤で固定している。色分解プリズム２０１は出射面を除き遮光用塗料２０２が塗布されている。
【００１４】
図１４に示すように、色分解プリズム２０１とその出射面近傍に配設された固体撮像素子２０３とを、連結固定する連結固定部材２０４に紫外線選択透過性を有するフィルタガラス、又は白板ガラスや青板ガラスに光学多層膜を蒸着して紫外線選択透過膜を形成し、紫外線硬化型接着剤が硬化するのに必要な光のみを透過させて、固体撮像素子２０３の感度領域の光を遮断し、色分解プリズム２０１と連結固定部材２０４及び連結固定部材２０４と固体撮像素子２０３との間に紫外線硬化型接着剤２０５を塗布し、固体撮像素子２０３を図２に示すように図示しない６軸調整治具によりＸ，Ｙ，Ｚの３軸方向及びθｘ，θｙ，θｚの３軸回転方向に調整後、紫外線を照射して接着剤２０５を硬化させ、色分解プリズム２０１と連結固定部材２０４と固体撮像素子２０３を連結固定する。
【００１５】
また、図１５に示すように、図示しない６軸調整治具による調整結果、固体撮像素子２０３が傾斜しても塗布した紫外線硬化型接着剤２０５が変形し、紫外線を照射して接着剤２０５を硬化させ、色分解プリズム２０１と連結固定部材２０４と固体撮像素子２０３を連結固定することができる。
【００１６】
一般に接着剤は硬化時に体積が数％縮小するという、いわゆる硬化収縮の性質を有しており、これが固定時の位置精度を悪化させるが、接着層の硬化収縮に対しても、連結部材の動きで追従させることができ、固体撮像素子とプリズムブロックとの位置関係を変化させることなく、精度を保ったまま硬化させられる。
【００１７】
【発明が解決しようとする課題】しかし、このような従来の色分解プリズムと固体撮像素子の固着方式では、紫外線硬化型接着剤の塗布量が均一でなかったり、６軸調整治具の紫外線の照射に偏りがあると紫外線硬化型接着剤の硬化収縮にも偏りが生じ、最初に位置合わせをした位置からずれた位置に固体撮像素子が固定されてしまう問題点を有していた。
【００１８】
また、放送用カメラ、業務用カメラ、計測用カメラにおいても固体撮像素子の高画素数化で１画素面積が縮小化され、さらに撮像面積も２／３吋、１／２吋、１／３吋からさらに小型化が進み、従来の固着方式では接着剤の硬化収縮による位置決め誤差、及び運用時の周囲温度変化による位置変動を押さえ高精度画像を維持することが困難であった。
【００１９】
以上説明した現状に鑑み、本発明は接着剤の塗布量が不均一であったり、紫外線の照射に偏りがあって紫外線硬化型接着剤の硬化収縮にも偏りが生じても、固体撮像素子の位置ずれを防止でき、かつフィルタガラス等の特殊な部材を使用せず、さらに固体撮像素子の高画素数化、小型化に対応できる色分解プリズムと固体撮像素子を連結固定する撮像装置を提供することを目的とする。
【００２０】
【課題を解決するための手段】本発明者は、上記に鑑み鋭意研究の結果、次の手段によりこの課題を解決した。
（１）テレビカメラ等に使用される複数方向に分光する複数個のプリズムと、それらの出射面近傍に配設された複数の固体撮像素子パッケージと、該固体撮像素子パッケージの受光面側表面に当接する先端部がくさび状で前記プリズム両側面に貼着された各２枚の板状ホルダと、前記固体撮像素子パッケージ表面と前記板状ホルダ先端部のくさび状の表面とで形成された間隙に充填・硬化された接着剤とからなることを特徴とする固体撮像素子を使用した撮像装置。
【００２１】
（２）前記板状ホルダが、同形状の該板状ホルダを複数枚重ねてそれぞれのくさび状先端部を前記固体撮像素子パッケージの受光面側表面に当接するようにプリズム両側面に貼着され、前記固体撮像素子パッケージ表面と前記各板状ホルダ先端部のくさび状の表面とで形成された各間隙に接着剤が充填・硬化されてなることを特徴とする前項（１）に記載の固体撮像素子を使用した撮像装置。
【００２２】
（３）前記固体撮像素子パッケージ表面と前記板状ホルダ先端部のくさび状の表面とで形成された間隙に、棒材を挿設してなることを特徴とする前項（１）又は（２）に記載の固体撮像素子を使用した撮像装置。
【００２３】
（４）前記棒材が、プリズムの熱膨張係数と近似するもので、透明なガラス材、セラミック材又は金属材から選択される１又は２以上のものであることを特徴とする前項（１）〜（３）のいずれか１項に記載の固体撮像素子を使用した撮像装置。
【００２４】
（５）テレビカメラ等に使用される複数方向に分光する複数個のプリズムと、それらの出射面近傍に配設された複数の固体撮像素子パッケージと、該固体撮像素子パッケージの受光面側表面に当接する先端部の断面が半円形状で前記プリズム両側面に貼着された各２枚の板状ホルダと、前記固体撮像素子パッケージ表面と前記板状ホルダ先端部の半円形状の表面とで形成された間隙に充填・硬化された接着剤とからなることを特徴とする固体撮像素子を使用した撮像装置。
【００２５】
（６）前記板状ホルダが、プリズムの熱膨張係数と近似するもので、透明なガラス材、セラミック材又は金属材から選択される１又は２以上のものであることを特徴とする前項（１）〜（５）のいずれか１項に記載の固体撮像素子を使用した撮像装置。
【００２６】
（７）前記接着剤が、光硬化型接着剤で、光線を照射して前記光硬化型接着剤を硬化させ、前記板状ホルダとプリズム及び前記板状ホルダと固体撮像素子パッケージとを連結固定してなることを特徴とする前項（１）〜（６）のいずれか１項に記載の固体撮像素子を使用した撮像装置。
【００２７】
（８）前記接着剤が、熱硬化型接着剤で、熱源により前記熱硬化型接着剤を硬化させ、前記板状ホルダとプリズム及び前記板状ホルダと固体撮像素子パッケージとを連結固定してなることを特徴とする前項（１）〜（６）のいずれか１項に記載の固体撮像素子を使用した撮像装置。
（９）前記接着剤が、透光性球状フィラーを混有するものであることを特徴とする前項（１）〜（８）のいずれか１項に記載の固体撮像素子を使用した撮像装置。
【００２８】
【発明の実施の形態】本願発明実施例を図に基づいて説明する。
図１（ａ）は本願発明実施例の色分解プリズムの板状ホルダと固体撮像素子パッケージを取り付けた構成図、図１（ｂ）は同発明実施例１の板状ホルダと固体撮像素子パッケージを取り付けたＡ，Ａ’側面図、図２は固体撮像素子パッケージの調整方向を示す斜視図、図３は同発明実施例１の板状ホルダと固体撮像素子パッケージを取り付けた変形例１のＡ，Ａ’側面図、図４は同発明実施例１の板状ホルダと固体撮像素子パッケージを取り付けた変形例２のＡ，Ａ’正面図、  図５は同発明実施例２の板状ホルダと固体撮像素子パッケージを取り付けたＡ，Ａ’側面図、図６は同発明実施例３の板状ホルダと固体撮像素子パッケージを取り付けたＡ，Ａ’側面図、図７は同発明実施例４の板状ホルダと固体撮像素子パッケージを取り付けたＡ，Ａ’側面図、図８は同発明実施例５の板状ホルダと固体撮像素子パッケージを取り付けたＡ，Ａ’側面図、図９は同発明実施例６の板状ホルダと固体撮像素子パッケージの固着部拡大断面図、である。
【００２９】
［実施例１］
図１において、テレビカメラ等に使用される色分解光学系１は、３方向に色分解するプリズム２と、その出射面近傍に配設された３個の固体撮像素子パッケージ３と、該固体撮像素子パッケージ３の受光面側パッケージ表面５に当接する先端部がくさび状で前記プリズム２の両側面に貼着された各２枚の板状でプリズム２の熱膨張係数と近似する透明なガラス材の板状ホルダ４と、前記固体撮像素子パッケージ表面５と前記ホルダ４先端部のくさび状の傾斜面が外側を向いた表面６とで形成された三角形状の間隙に接着剤７を充填し、前記ホルダ４と固体撮像素子パッケージ３とを連結固定するように構成され、取付板９を介して図示しないテレビカメラ筐体の前面パネル背面に取り付けられている。
【００３０】
なお、固体撮像素子パッケージ３の受光面に周囲からの防害光の入射を防止するため、固体撮像素子パッケージ３の受光面を取り囲むように柔軟性を有する遮光幕をプリズム２間に配設することが好ましい。
【００３１】
このような色分解光学系では、図２の固体撮像素子パッケージ３の調整方向を示す斜視図に示すように、光軸に対して３個の固体撮像素子のそれぞれをＸ，Ｙ，Ｚ，θｘ，θｙ，θｚの６軸について精度良く位置決めし、色分解プリズム１０１に貼着固定する必要がある。
【００３２】
図１において、色分解光学系１を、図示しない６軸調整治具本体に取付板９によって固定し、Ｒ，Ｇ，Ｂチャンネルの固体撮像素子パッケージ３とホルダ４の表面に配設された１〜３個の治具挿着用の穴８を利用又はホルダ４の端面を狭持するように、それぞれ６軸調整治具を装着し、固体撮像素子パッケージ３の表面５にホルダ４のくさび状の先端部が常に当接するように調整され、固体撮像素子パッケージ３とホルダ４の６軸調整治具は６軸調整信号によって一体となって作動する。
【００３３】
光軸に対して３個の固体撮像素子のそれぞれをＸ，Ｙ，Ｚ，θｘ，θｙ，θｚの６軸について精度良く位置決めが終了すると、各２枚のホルダ４の周囲と、前記固体撮像素子パッケージ表面５と前記ホルダ４先端部のくさび状の表面６とで形成された三角形状の間隙に紫外線硬化型接着剤７を充填し、紫外線を照射して接着剤７を硬化させ前記ホルダ４と固体撮像素子パッケージ３とを連結固定する。
【００３４】
図３は同発明実施例１のホルダ４と固体撮像素子パッケージ３を取り付けた変形例１のＡ，Ａ’側面図で、上記の図示しない６軸調整治具の調整結果、Ｒ，Ｇ，Ｂチャンネルの固体撮像素子パッケージ３のいずれかに左右方向のレジストレーション調整の必要性を生じ、固体撮像素子パッケージ３を傾ける場合、６軸調整治具によって固体撮像素子パッケージ３の光軸中心を維持しながらホルダ４Ａ及びホルダ４Ｂを互いに前後して固体撮像素子パッケージ３を傾けてレジストレーション調整を行う。調整終了後、上記と同様に、紫外線を照射して接着剤７を硬化させてホルダ４と固体撮像素子パッケージ３を連結固定し、同様に各２枚のホルダ４の周囲に塗布された接着剤により、プリズム２とホルダ４とを連結固定する。
【００３５】
図４は同発明実施例１のホルダと固体撮像素子パッケージを取り付けた変形例２のＡ，Ａ’正面図で、上記の図示しない６軸調整治具の調整結果、Ｒ，Ｇ，Ｂチャンネルの固体撮像素子パッケージ３のいずれかに上下方向のレジストレーション調整の必要性を生じ、固体撮像素子パッケージ３を傾ける場合、６軸調整治具によって固体撮像素子パッケージ３の光軸中心を維持しながらホルダ４Ａ及びホルダ４Ｂを光軸に対して同時に傾けて固体撮像素子パッケージ３のレジストレーション調整を行う。調整終了後、紫外線を照射して接着剤７を硬化させてホルダ４と固体撮像素子パッケージ３を連結固定し、同様に各２枚のホルダ４の周囲に塗布された接着剤により、プリズム２とホルダ４とを連結固定する。
【００３６】
上記説明で明らかなように、変形例１と変形例２を組み合わせて調整することにより、３軸方向のＸ，Ｙ，Ｚと、θｘ，θｙ，θｚの３軸回転方向とを含む６軸方向について精度良く位置決めすることができる。
【００３７】
以上の６軸調整完了後は、プリズム２の出射面を除く周囲に図示しない遮光のための塗料を塗布することが好ましい。
【００３８】
［実施例２］
図５において、実施例１で示したホルダ４Ａ，４Ｂに、それぞれホルダ４Ａ’，４Ｂ’を接着剤を介して（又はホルダ周辺に接着剤を塗布して）ホルダ４先端部のくさび状の表面６，６’の傾斜が同じ方向で重ねた構成で、前記同様６軸調整後、それぞれの接着剤７及び７’に紫外線を照射して硬化させ２枚重ねのホルダ４と固体撮像素子パッケージ３を連結固定し、同様に各２枚のホルダ４同士の接着と、プリズム２とホルダ４とを連結固定する。その他の構成及び作用は実施例１と同様である。
【００３９】
［実施例３］
図６において、実施例１で示したホルダ４Ａ，４Ｂに、それぞれホルダ４Ａ’，４Ｂ’を接着剤を介して（又はホルダ周辺に接着剤を塗布して）ホルダ４先端部のくさび状の表面６，６’の傾斜が相対するように重ねた構成で、前記同様６軸調整後、それぞれの接着剤７及び７’に紫外線を照射して硬化させ２枚重ねのホルダ４と固体撮像素子パッケージ３を連結固定し、同様に各２枚のホルダ４同士の接着と、プリズム２とホルダ４とを連結固定する。その他の構成及び作用は実施例１と同様である。
【００４０】
［実施例４］
図７において、実施例１で示したホルダ４Ａ，４Ｂに、それぞれ前記ホルダ４Ａ’，４Ｂ’を一体構造にしてホルダ４とし、その先端部のくさび状の表面６，６’の傾斜が互いに反対方向になるように形成した構成で、前記同様６軸調整後、それぞれの接着剤７及び７’に紫外線を照射して硬化させホルダ４と固体撮像素子パッケージ３を連結固定し、同様にプリズム２とホルダ４とを連結固定する。その他の構成及び作用は実施例１と同様である。
【００４１】
［実施例５］
図８において、実施例１で示したホルダ４Ａ，４Ｂの、その先端部のくさび状の表面に替えて、半円形状の表面１１になるように形成した構成で、前記同様６軸調整後、それぞれの接着剤７及び７’に紫外線を照射して硬化させホルダ４と固体撮像素子パッケージ３を連結固定し、同様にプリズム２とホルダ４とを連結固定する。その他の構成及び作用は実施例１と同様である。
【００４２】
［実施例６］
図９において、前記固体撮像素子パッケージ３の受光面側パッケージ表面５に当接する先端部がくさび状で前記プリズム２の側面に貼着された各２枚の板状でプリズム２の熱膨張係数と近似する透明なガラス材のホルダ４と、前記固体撮像素子パッケージ表面５と前記ホルダ４先端部のくさび状の傾斜面が外側を向いた表面６とで形成された三角形状の間隙にプリズム２の熱膨張係数と近似する透明なガラス材で円柱状の棒材１０をそれぞれの面に当接するように配設して接着剤７を塗布し、前記同様６軸調整後、接着剤７に紫外線を照射して硬化させ、ホルダ４と固体撮像素子パッケージ３を連結固定し、同様にプリズム２とホルダ４とを連結固定する。その他の構成及び作用は実施例１と同様である。
【００４３】
以上の実施例において、接着剤は紫外線硬化型接着剤を用いて説明したが、この他に、６軸調整治具の接着作業用の光線源に拡散型メタルハライドランプなど可視光線により硬化し固着できる光硬化型接着剤を使用しても良い。
【００４４】
さらに、前記接着剤が透光性球状フィラーを混有することにより、かたさ等機械的性質が向上し、さらに重合収縮が少なくなり、熱膨張係数が小さくなることが期待できる。
【００４５】
以上の実施例において、棒材１０及びホルダ４の材質はガラス材としたが、その他にプリズム２の熱膨張係数と近似するセラミック材又はチタンなど金属材でも良く、その場合は接着剤に熱硬化型接着剤を使用し、熱風源又は熱線源によって接着剤を硬化させ、ホルダ４と固体撮像素子パッケージ３を連結固定し、同様にプリズム２とホルダ４とを連結固定しても良い。
【００４６】
【発明の効果】本発明によれば、次のような効果が発揮される。
１．本願発明の請求項１の発明によれば、
熱硬化型又は光硬化型接着剤の塗布量が不均一であったり、熱分布又は光線の照射に偏りがあって接着剤の硬化収縮に偏りが生じても、前記板状ホルダのくさび状の先端部が固体撮像素子パッケージの受光面側表面に当接しているため、接着剤の硬化収縮があってもその影響を受けず、したがって、固体撮像素子パッケージの位置ずれを防止できるので、固体撮像素子の高画素数化、小型化に対応できる高精度連結固定が可能になる。
【００４７】
また、前記板状ホルダが固体撮像素子パッケージの受光面側表面に当接しているので、運用時においても周囲温度変化による接着剤の収縮の影響を受けないため、固体撮像素子パッケージの位置変動が無く高精度画像を提供できる。
【００４８】
さらに、前記板状ホルダが固体撮像素子パッケージの受光面側表面に当接しているため、接着剤の塗布作業時に接着剤が固体撮像素子の受光面側にはみ出すことがないので、光学系を汚したり、接着剤による光学像の乱反射等が防止できる。
【００４９】
２．本願発明の請求項２の発明によれば、
前項の効果に加え、同形状の前記板状ホルダを複数枚重ねてそれぞれのくさび状先端部を前記固体撮像素子パッケージの受光面側表面に当接するようにプリズム側面に貼着され、前記固体撮像素子パッケージ表面と前記各板状ホルダ先端部のくさび状の表面とで形成された各三角形状の間隙に接着剤を塗布し、前記複数枚の板状ホルダと固体撮像素子パッケージとを連結固定しているので、接着面積が２倍以上に大きくなり接着強度が増強されるので、極めて小型なプリズムと小型な固体撮像素子パッケージの組み合わせでも強固に固着できる。
【００５０】
３．本願発明の請求項３の発明によれば、
さらに前項の効果に加え、前記各三角形状の間隙に棒材を挿設することで接着剤の塗布量が少なく、かつ接着剤が分散され、また、前記固体撮像素子パッケージ表面と前記板状ホルダ先端部のくさび状の表面とで形成された三角形状の間隙に、それぞれの面に当接するように棒材を挿設し、前記板状ホルダと固体撮像素子パッケージとを連結固定しているので、接着剤の硬化収縮があってもその影響を受けない。
【００５１】
４．本願発明の請求項４の発明によれば、
前記棒材が、プリズムの熱膨張係数と近似する透明なガラス材、セラミック材又は金属材のいずれでも使用できるので、固体撮像素子の６軸調整治具の前記板状ホルダをプリズムに固着する接着方式によって使用材料を選定することができる。
【００５２】
５．本願発明の請求項５の発明によれば、
請求項１の効果と同様に、熱硬化型又は光硬化型接着剤の塗布量が不均一であったり、熱分布又は光線の照射に偏りがあって接着剤の硬化収縮に偏りが生じても、前記板状ホルダ断面の半円形状表面先端部が固体撮像素子パッケージの受光面側表面に当接しているため、接着剤の硬化収縮があってもその影響を受けず、したがって、固体撮像素子パッケージの位置ずれを防止できるので、固体撮像素子の高画素数化、小型化に対応できる高精度連結固定が可能になる。
【００５３】
６．本願発明の請求項６の発明によれば、
前記板状ホルダが、プリズムの熱膨張係数と近似する透明なガラス材、セラミック材又は金属材のいずれでも使用できるので、固体撮像素子の６軸調整治具の前記板状ホルダをプリズムに固着する接着方式によって使用材料を選定することができる。
【００５４】
７．本願発明の請求項７の発明によれば、
前記板状ホルダ及び棒材に透明でプリズムの熱膨張係数と近似するガラス材を用いて前記光硬化型接着剤を塗布し、光線を照射して硬化し、前記板状ホルダとプリズム及び前記板状ホルダと固体撮像素子パッケージとを連結固定できるので、製造工数の削減と、作業効率が向上する効果がある。
【００５５】
８．本願発明の請求項８の発明によれば、
前記板状ホルダ及び棒材にセラミック材又は金属材を用いて熱硬化型接着剤を塗布し、熱源により前記熱線硬化型接着剤を硬化させ、前記板状ホルダとプリズム及び前記板状ホルダと固体撮像素子パッケージとを連結固定する方式も採用できるため前記６軸調整治具の固着方式に対応が容易になる。
【００５６】
９．本願発明の請求項９の発明によれば、
前記接着剤に透光性球状フィラーを混有することにより、かたさ等機械的性質が向上し、さらに重合収縮が少なくなり、熱膨張係数が小さくなることが期待できる。
【図面の簡単な説明】
【図１】（ａ）本願発明実施例の色分解プリズムの板状ホルダと固体撮像素子パッケージを取り付けた構成図。
（ｂ）同発明実施例１の板状ホルダと固体撮像素子パッケージを取り付けたＡ，Ａ’側面図。
【図２】固体撮像素子パッケージの調整方向を示す斜視図。
【図３】同発明実施例１の板状ホルダと固体撮像素子パッケージを取り付けた変形例１のＡ，Ａ’側面図。
【図４】同発明実施例１の板状ホルダと固体撮像素子パッケージを取り付けた変形例２のＡ，Ａ’平面図。
【図５】同発明実施例２の板状ホルダと固体撮像素子パッケージを取り付けたＡ，Ａ’側面図。
【図６】同発明実施例３の板状ホルダと固体撮像素子パッケージを取り付けたＡ，Ａ’側面図。
【図７】同発明実施例４の板状ホルダと固体撮像素子パッケージを取り付けたＡ，Ａ’側面図。
【図８】同発明実施例５の板状ホルダと固体撮像素子パッケージを取り付けたＡ，Ａ’側面図。
【図９】同発明実施例６の板状ホルダと固体撮像素子パッケージの固着部拡大断面図。
【図１０】（ａ）従来例１の色分解プリズムにスペーサを介して取付板に固体撮像素子を取り付けた平面図。
（ｂ）従来例１の色分解プリズムにスペーサを介して取付板に固体撮像素子を取り付けた側面図。
【図１１】従来例１の取付部の拡大図。
【図１２】従来例１のスペーサの変形例を示す取付部の拡大図。
【図１３】従来例２の固体撮像装置の構成図。
【図１４】従来例２の取付部の拡大断面図。
【図１５】従来例２の固体撮像素子の変形例を示す取付部の拡大断面図。
【符号の説明】
１：色分解光学系                    ２：プリズム
３：固体撮像素子パッケージ
４，４Ａ，４Ａ’４Ｂ，４Ｂ’：ホルダ
５：パッケージ表面                  ６，６’：くさび状の表面
７，７’：接着剤                    ８：穴
９：取付板                          １０：棒材
１１：半円形状の表面
１０１：色分解プリズム              １０２：取付板
１０２Ａ：傾斜面                    １０３：固体撮像素子
１０４：スペーサ                    １０４Ａ：垂直面
１０４Ｂ：傾斜面                    １０５：色分解光学系
２０１：色分解プリズム              ２０２：遮光用塗料
２０３：固体撮像素子                ２０４：連結固定部材
２０５：紫外線硬化型接着剤
【図１】
2005012477.tif 000003
【図２】
2005012477.tif 000004
【図３】
2005012477.tif 000005
【図４】
2005012477.tif 000006
【図５】
2005012477.tif 000007
【図６】
2005012477.tif 000008
【図７】
2005012477.tif 000009
【図８】
2005012477.tif 000010
【図９】
2005012477.tif 000011
【図１０】
2005012477.tif 000012
【図１１】
2005012477.tif 000013
【図１２】
2005012477.tif 000014
【図１３】
2005012477.tif 000015
【図１４】
2005012477.tif 000016
【図１５】
2005012477.tif 000017